(57)【要約】      （修正有）【課題】型紙を使用せずに作製でき、装飾効果にも優れるパッチワーク装飾品を提供する。【解決手段】パッチワーク装飾品１は、突出端４ｃが直角に交わる両辺部４ａ、４ｂを備える連結片４と、この連結片４の基部側と一体に連なるとともに、連結片４に対して折り返し重合した略半円状の外周輪郭部５ｃを突出端４ｃ側に向け、外端縁５ｂが直線状に形成され、中央部に糸絞り装飾部６を表出させた折り返し片５と、を具備する１／４円状又は１／６円状等の単位布をベースに作製した単位ピースを４個又は６個等縫製連結したものである。４個又は６個等の各単位ピースの各突出端４ｃを中心として隣り合う辺部４ａ、４ｂ同士を縫合し中心の回りに４個又は６個等の糸絞り装飾部６を点在状態に表出させる。【選択図】図１０
0003158829.tif 000002
【実用新案登録請求の範囲】
【請求項１】
突出端が３６０度の正数分の１の角度で交わる両辺部を備える連結片と、
この連結片の基部側と一体に連なるとともに、前記連結片に対して折り返し重合した略半円状の外周輪郭部を突出端側に向け、外端縁が直線状に形成され、中央部に糸絞り装飾部を表出させた折り返し片と、
を具備する正数分割円状の単位布をベースに作製した単位ピースを複数個縫製連結した新規なパッチワーク装飾品であって、
前記各単位ピースの各突出端を中心として隣り合う辺部同士を縫合し中心の回りに糸絞り装飾部を表出させたこと、
を特徴とする新規なパッチワーク装飾品。
【請求項２】
突出端が直角に交わる両辺部を備える連結片と、
この連結片の基部側と一体に連なるとともに、前記連結片に対して折り返し重合した略半円状の外周輪郭部を突出端側に向け、外端縁が直線状に形成され、中央部に糸絞り装飾部を表出させた折り返し片と、
を具備する１／４円状又は１／６円状の単位布をベースに作製した単位ピースを４個又は６個縫製連結した新規なパッチワーク装飾品であって、
前記４個又は６個の各単位ピースの各突出端を中心として隣り合う辺部同士を縫合し中心に４個又は６個のビーズ付きの糸絞り装飾部を表出させ、外周輪郭を四辺形状又は菱形形状に形成したこと、
を特徴とする新規なパッチワーク装飾品。
【請求項３】
突出端が直角に交わる両辺部を備える連結片と、
この連結片の基部側と一体に連なるとともに、前記連結片に対して折り返し重合した略半円状の外周輪郭部を突出端側に向け、外端縁が直線状に形成され、中央部に糸絞り装飾部を表出させた折り返し片と、
を具備する１／４円状又は１／６円状の単位布をベースに作製した単位ピースを４個又は６個縫製連結した新規なパッチワーク装飾品であって、
前記４個又は６個の各単位ピースの各突出端を中心として隣り合う辺部同士を縫合し中心に４個又は６個のビーズ付きの糸絞り装飾部を表出させ、外周輪郭を四辺形状又は菱形形状に形成し、前記中心の部分に装飾釦を付加したこと、
を特徴とする新規なパッチワーク装飾品。
【請求項４】
突出端が３６０度の正数分の１の角度に交わる両辺部を備える正数分割円状の単位布の前記両辺部に縫い代を設け、前記縫い代を設けた各単位布の円弧部を折り曲げぐし縫いして絞り込み、絞り込だ単位布の両隅部を寄せ集めて縫製することで、両辺部側の連結片と、この連結片の基部側と一体に連なり円弧状の外周輪郭部を有し、その内方に糸絞り装飾部を有する折り返し片とからなる単位ピースを得る工程と、
前記単位ピースにおける連結片を構成する両辺部の各突出端を中心として各単位ピースの隣り合う辺部同士を縫合して各単位ピースの集合体とし、この集合体の各単位ピースの前記各糸絞り装飾部側を裏側として各折り返し片を各連結片に対して折り返し重合し、中心に複数の糸絞り装飾部を表出させる工程とにより、
得られることを特徴とする新規なパッチワーク装飾品。
【請求項５】
突出端が直角に交わる両辺部を備える１／４円状又は１／６円状の単位布の前記両辺部に縫い代を設け、前記縫い代を設けた１／４円状又は１／６円状の単位布の円弧部を折り曲げぐし縫いして絞り込み、絞り込だ単位布の両隅部を寄せ集めて縫製することで、両辺部側の連結片と、この連結片の基部側と一体に連なり円弧状の外周輪郭部を有し、その内方に糸絞り装飾部を有する折り返し片とからなる単位ピースを得る工程と、
前記単位ピースにおける連結片を構成する両辺部の各突出端を中心として４個又は６個の単位ピースの隣り合う辺部同士を縫合して４個又は６個の単位ピースの集合体とし、各単位ピースの前記各糸絞り装飾部側を裏側として各折り返し片を各連結片に対して折り返し重合し、中心に４個又は６個の糸絞り装飾部を表出させる工程とにより、
得られることを特徴とする新規なパッチワーク装飾品。
【請求項６】
突出端が直角に交わる両辺部を備える１／４円状又は１／６円状の単位布の前記両辺部に縫い代を設け、前記縫い代を設けた１／４円状又は１／６円状の単位布の円弧部を折り曲げぐし縫いして絞り込み、絞り込だ単位布の両隅部を寄せ集めて縫製することで、両辺部側の連結片と、この連結片の基部側と一体に連なり円弧状の外周輪郭部を有し、その内方に糸絞り装飾部を有する折り返し片とからなる単位ピースを得る工程と、
前記単位ピースにおける連結片を構成する両辺部の各突出端を中心として４個又は６個の単位ピースの隣り合う辺部同士を縫合して４個又は６個の単位ピースの集合体とし、各糸絞り装飾部の中心部に各々ビーズを付加し、各単位ピースの前記各糸絞り装飾部側を裏側として各折り返し片を各連結片に対して折り返し重合し、中心に４個又は６個のビーズ付きの糸絞り装飾部を表出させる工程とにより、
得られることを特徴とする新規なパッチワーク装飾品。
【請求項７】
突出端が直角に交わる両辺部を備える１／４円状又は１／６円状の単位布の前記両辺部に縫い代を設け、前記縫い代を設けた１／４円状又は１／６円状の単位布の円弧部を折り曲げぐし縫いして絞り込み、絞り込だ単位布の両隅部を寄せ集めて縫製することで、両辺部側の連結片と、この連結片の基部側と一体に連なり円弧状の外周輪郭部を有し、その内方に糸絞り装飾部を有する折り返し片とからなる単位ピースを得る工程と、
前記単位ピースにおける連結片を構成する両辺部の各突出端を中心として４個又は６個の単位ピースの隣り合う辺部同士を縫合して４個又は６個の単位ピースの集合体とし、各糸絞り装飾部の中心部に各々ビーズを、集合体の中心の部分に装飾釦を付加し、各単位ピースの前記各糸絞り装飾部側を裏側として各折り返し片を各連結片に対して折り返し重合し、装飾釦を具備する中心に４個又は６個のビーズ付きの糸絞り装飾部を表出させる工程とにより、
得られることを特徴とする新規なパッチワーク装飾品。
【考案の詳細な説明】
【技術分野】
【０００１】
本考案は、新規なパッチワーク装飾品に関し、詳しくは、１／４円状又は１／６円状等の単位布をベースとした斬新で新規なパッチワーク装飾品に関するものである。
【背景技術】
【０００２】
一般に、パッチワークとは、小さく切断された布片或いは皮革等を接ぎ合わせることにより一つの面を形成する手芸の一手法とされている。
【０００３】
このようなパッチワークの手法としては、従来全体の基礎となる土台布に、布片を成形したパッチワーク片を縫い付けて行く手法や、円形状や四角形状の型紙を用いて縫製した単位モチーフ（ユニットモチーフ）を複数作製し、これらを接ぎ合わせる手法等が知られている。
【０００４】
また、特許文献１には、円形又は角型の土台布を、表側へ向けて折り曲げて、内部にドミット芯と当て布を入れて縫い合わせることにより、単位モチーフを構成し、該単位モチーフを連続的に縫い合わせて繋ぐことにより、表裏の模様を構成するリバーシブルパッチワークキルトにおいて、土台布又は当て布の両方又は一方を、複数の模様の異なる布を縫い合わせることにより構成し、単位モチーフのデザインを多様化したリバーシブルパッチワークキルトが提案されている。
【０００５】
しかし、従来においては、１／４円状、１／６状等の単位布をベースとして、型紙を使用せずに作製でき、装飾効果にも優れるようなパッチワーク装飾品が見当たらないのが現状である。
【先行技術文献】
【特許文献】
【０００６】
【特許文献１】特許第３６１２６５８号公報
【考案の概要】
【考案が解決しようとする課題】
【０００７】
本考案が解決しようとする問題点は、３６０度の正数分割円状の単位布をベースとして、型紙を使用せずに作製でき、装飾効果にも優れるような新規なパッチワーク装飾品が従来存在しない点である。
【課題を解決するための手段】
【０００８】
本考案に係る新規なパッチワーク装飾品は、突出端が３６０度の正数分の１の角度で交わる両辺部を備える連結片と、この連結片の基部側と一体に連なるとともに、前記連結片に対して折り返し重合した略半円状の外周輪郭部を突出端側に向け、外端縁が直線状に形成され、中央部に糸絞り装飾部を表出させた折り返し片と、を具備する正数分割円状の単位布をベースに作製した単位ピースを複数個縫製連結した新規なパッチワーク装飾品であって、前記各単位ピースの各突出端を中心として隣り合う辺部同士を縫合し中心の回りに複数個の糸絞り装飾部を点在状態に表出させたことを最も主要な特徴とする。
【考案の効果】
【０００９】
請求項１記載の考案によれば、３６０度の正数分の１の分轄円状の単位布をベースとして、中心の回りに恰も花弁のように糸絞り装飾部が点在状態に表出する装飾効果に優れる斬新で新規なパッチワーク装飾品を実現し提供することができる。
【００１０】
請求項２記載の考案によれば、１／４円状又は１／６円状の単位布をベースとし、中心の回りに恰も花弁のように４個又は６個のビーズ付きの糸絞り装飾部が点在状態に表出する装飾効果に優れた新規なパッチワーク装飾品を実現し提供することができる。
【００１１】
請求項３記載の考案によれば、１／４円状又は１／６円状の単位布をベースとし、中心の回りに恰も花弁のように４個又は６個のビーズ付きの糸絞り装飾部が点在状態に表出し、中心の部分に装飾釦が存在する装飾効果に優れた新規なパッチワーク装飾品を実現し提供することができる。
【００１２】
請求項４記載の考案によれば、３６０度の正数分の１の分轄円状の単位布をベースとして、型紙を使用せずに何人でも簡略容易に作製するが可能であり、請求項１記載の考案と同様、装飾効果に優れた新規なパッチワーク装飾品を実現し提供することができる。
【００１３】
請求項５記載の考案によれば、型紙を使用せずに何人でも簡略容易に作製するが可能であり、請求項２記載の考案と同様、ビーズ付きで装飾効果に優れた新規なパッチワーク装飾品を実現し提供することができる。
【００１４】
請求項６記載の考案によれば、型紙を使用せずに何人でも簡略容易に作製するが可能であり、請求項３記載の考案と同様、ビーズ及び装飾釦付きで装飾効果に優れた新規なパッチワーク装飾品を実現し提供することができる。
【図面の簡単な説明】
【００１５】
【図１】図１は本考案の実施例に係る新規なパッチワーク装飾品のベースとなる１／４円状の単位布を示す平面図である。
【図２】図２は本実施例に係る新規なパッチワーク装飾品のベースとなる単位布に縫い代を設けた状態の平面図である。
【図３】図３は本実施例に係る新規なパッチワーク装飾品のベースとなる単位布の両隅部を折り返した状態の平面図である。
【図４】図４は本実施例に係る新規なパッチワーク装飾品のベースとなる単位布の円弧部を折り返しぐし縫いする状態を示す平面図である。
【図５】図５は本実施例に係る新規なパッチワーク装飾品のぐし縫いした部分を絞り込み糸絞り装飾部を形成した単位ピースを示す平面図である。
【図６】図６は本実施例に係る単位ピースを４個集合し、縫い合わせて集合体とした状態を示す平面図である。
【図７】図７は本実施例に係る集合体を表裏反転した状態を示す平面図である。
【図８】図８は本実施例に係る表裏反転した集合体を土台布に縫い付けた状態を示す平面図である。
【図９】図９は本実施例に係る土台布に縫い付けた集合体における各折り返し片を各連結片に対して折り返し重合した状態を示す平面図である。
【図１０】図１０は本実施例に係る新規なパッチワーク装飾品の完成状態を示す平面図である。
【図１１】図１１は本実施例に係る新規なパッチワーク装飾品の変形例を示す平面図である。
【図１２】図１２は本実施例に係る新規なパッチワーク装飾品の別の変形例を示す平面図である。
【考案を実施するための形態】
【００１６】
本考案は、３６０度の正数分の１の分割円状、例えば１／４円状又は１／６円状等の単位布をベースとし、型紙を使用せずに作製でき、装飾効果にも優れる斬新で新規なパッチワーク装飾品を実現し提供するという目的を、突出端が直角に交わる両辺部を備える連結片と、この連結片の基部側と一体に連なるとともに、前記連結片に対して折り返し重合した略半円状の外周輪郭部を突出端側に向け、外端縁が直線状に形成され、中央部に糸絞り装飾部を表出させた折り返し片と、を具備する１／４円状又は１／６円状の単位布をベースに作製した単位ピースを４個又は６個縫製連結した新規なパッチワーク装飾品であって、前記４個又は６個の各単位ピースの各突出端を中心として隣り合う辺部同士を縫合し中心の回りに４個又は６個の糸絞り装飾部を点在状態に表出させ、必要に応じて各糸絞り装飾部にビーズを付加し、中心に装飾釦を付加する構成により実現した。
【実施例】
【００１７】
以下、本考案の実施例に係る新規なパッチワーク装飾品について、図面を参照して詳細に説明する。
【００１８】
本実施例に係る新規なパッチワーク装飾品１は、図１に示すように、３６０度の正数分の１の分割円状、例えば１／４円状又は１／６円状（図示せず）等の単位布２をベースとして、この単位布２を基に図５に示す単位ピース３を作製し、更に、４個又は６個（図示せず）の単位ピース３を用いて図１０に示す新規なパッチワーク装飾品１としたものである。
【００１９】
ここに、３６０度の正数分の１の分割円状とは、例えば１／２円状、３分の１円状、１／４円状、１／５円状、１／６円状等を意味するものである。
【００２０】
本実施例に係る新規なパッチワーク装飾品１は、図１０に示すように、前記単位布２をベースとし、突出端４ｃが直角に交わる両辺部４ａ、４ｂを備える連結片４と、この連結片４の基部側と一体に連なるとともに、前記連結片４に対して折り返し重合した略半円状で、円弧部５ａを前記突出端４ｃ側に向け、外端縁５ｂが直線状に形成され、中央部に糸絞り装飾部６を表出させた折り返し片５と、を有する単位ピース３を作製し、更に、この単位ピース３を４個用意し、各単位ピース３の各突出端４ｃを中心として集合し、各単位ピース３の隣り合う辺部４ａ、４ｂ同士を縫合して集合体７とし、この集合体７を表裏反転し、各折り返し片５を折り返すことによって、４個の糸絞り装飾部６が中心から見て９０度間隔で点在する状態に表出させるように構成している。
【００２１】
そして、本実施例に係る新規なパッチワーク装飾品１は、図１０に示すように、その全体の外周輪郭が四辺形状（若しくは略四辺形状）又は菱形形状（若しくは略菱形形状）を呈する構成としている。
【００２２】
次に、本実施例に係る新規なパッチワーク装飾品１の作製工程について、図１乃至図９をも参照して詳述する。
【００２３】
まず、図１に示すように、無地又は模様等が付された半径６ｃｍで１／４円状又は１／６円状（図示せず）等の単位布２、すなわち、突出端４ｃが直角に交わる両辺部４ａ、４ｂと、円弧部５ａとを一体に具備する１／４円状又は１／６円状（図示せず）等の単位布２を用意する。
【００２４】
この単位布２の突出端４ｃ側は連結片４として、また、円弧部５ａ側は折り返し片５として機能するものである。
【００２５】
次に、図２に示すように、前記単位布２の両辺部４ａ、４ｂに各々例えば幅０．７ｃｍの縫い代４ｄ、４ｄを設ける。
【００２６】
次に、図３に示すように、縫い代４ｄ、４ｄを設けた前記単位布２における円弧部５ａの両隅を各々小寸法分折り曲げる。
【００２７】
次に、図４に示すように、円弧部５ａを例えば０．５ｃｍ幅で円弧に沿って折り曲げて、折り曲げた際のところを図示しない針と糸１０とを用いてぐし縫いする。
【００２８】
次に、図５に示すように、ぐし縫いした箇所を糸で絞りこみ、絞り込だ単位布２の両隅部を寄せ集め、つなぎ合うように、かつ、形を整えるようにして縫い込み、前記連結片４と、この連結片４の基部側と一体に連なり円弧状の外周輪郭５ｃを有し、その内方に糸絞り装飾部６を有する折り返し片５とからなる単位ピース３を得る。
【００２９】
次に、図６に示すように、上述の構成からなる４個又は６個（図示せず）の単位ピース３を用意し、各突出端４ｃを中心として４個又は６個（図示せず）の単位ピース３の隣り合う辺部４ａ、４ｂ同士を縫合して４個又は６個（図示せず）の単位ピース３が連なる集合体７を作製する。
【００３０】
次に、図７に示すように、前記集合体７の各単位ピース３の前記各糸絞り装飾部６側が裏側となるように表裏反転し、次いで、図８に示すように、例えば前記集合体７よりも大寸法の土台布８に対して前記集合体７を菱形状の縫い目をもって縫い付ける。
【００３１】
このとき、菱形状の縫い目は、予め各単位ピース３に引いた全体として菱形状を呈する縫い目線９を目安とするものである。
【００３２】
次に、図９に示すように、前記集合体７における各折り返し片５を縫い目線９の近傍を境として各々連結片４側に折り返し重合し、中心の回りに４個又は６個（図示せず）の糸絞り装飾部６を点在状態に表出させる。また、前記土台布８の必要箇所以外の部分を切断除去する。
【００３３】
以上の作製工程を経て、図１０に示すような４個又は６個の糸絞り装飾部６が中心から見て９０度間隔で恰も花弁のように点在する状態に表出させた装飾効果に優れる斬新な新規なパッチワーク装飾品１を得ることができる。
【００３４】
また、本実施例に係る新規なパッチワーク装飾品１は、上述したような工程を採用することから１／４円状の単位布２をベースとし、型紙を使用せずに何人でも簡略容易に作製できる利点がある。
【００３５】
図１１は、本実施例に係る新規なパッチワーク装飾品１の変形例である新規なパッチワーク装飾品１Ａを示すものであり、上述した実施例１の作製工程に、各糸絞り装飾部６の中心部に各々例えば、赤色、青色、黄色等の着色を施したビーズ１１を付加し、中心の回りに４個又は６個（図示せず）のビーズ１１付きの糸絞り装飾部６を点在状態に表出させて、これにより、前記新規なパッチワーク装飾品１よりも装飾効果を高めたことが特徴である。
【００３６】
図１２は本実施例１に係る新規なパッチワーク装飾品１の別の変形例である新規なパッチワーク装飾品１Ｂを示すものであり、上述した実施例２の作製工程に、更に前記中心の部分に、各種の釦類の中から選定した色付きの装飾釦１２を付加する工程を付加し、前記新規なパッチワーク装飾品１Ｂよりも装飾効果をより高めたことが特徴である。
【００３７】
図１１に示す変形例、図１２に示す別の変形例によっても、各々装飾効果に優れ、かつ、型紙を使用せずに何人でも簡略容易に作製することが可能な新規なパッチワーク装飾品１Ａ、新規なパッチワーク装飾品１Ｂを実現し提供することができる。
【００３８】
なお、上述した図示実施例では、１／４円状の単位布２をベースとする場合について説明したが、これに限らず、１／２円状、３分の１円状、１／５円状、１／６円状等のような３６０度の正数分の１の分割円状の単位布をベースとしても、同様に装飾効果に優れ、かつ、型紙を使用せずに何人でも簡略容易に作製することが可能な新規なパッチワーク装飾品を得ることができる。
【００３９】
特に、１／５円状、１／６円状等の単位布をベースとした場合には、糸絞り装飾部の個数が５個、６個と増えることから、見た目がより良く装飾効果をより高めることが可能となる。
【産業上の利用可能性】
【００４０】
本考案の新規なパッチワーク装飾品は、多数カーテン状に組み上げたり、暖簾状に組み上げたりすることによって、一般家庭、小売店舗等における室内装飾品として広範に応用可能である。
【符号の説明】
【００４１】
１    新規なパッチワーク装飾品
１Ａ  新規なパッチワーク装飾品
１Ｂ  新規なパッチワーク装飾品
２    単位布
３    単位ピース
４    連結片
４ａ  辺部
４ｂ  辺部
４ｃ  突出端
４ｄ  縫い代
５    折り返し片
５ａ  円弧部
５ｂ  外端縁
５ｃ  外周輪郭部
６    糸絞り装飾部
７    集合体
８    土台布
９    縫い目線
１０    糸
１１    ビーズ
１２    装飾釦
【図１】
0003158829.tif 000003
【図２】
0003158829.tif 000004
【図３】
0003158829.tif 000005
【図４】
0003158829.tif 000006
【図５】
0003158829.tif 000007
【図６】
0003158829.tif 000008
【図７】
0003158829.tif 000009
【図８】
0003158829.tif 000010
【図９】
0003158829.tif 000011
【図１０】
0003158829.tif 000012
【図１１】
0003158829.tif 000013
【図１２】
0003158829.tif 000014
【手続補正書】
【提出日】平成22年2月16日(2010.2.16)
【手続補正１】
【補正対象書類名】明細書
【補正対象項目名】０００９
【補正方法】変更
【補正の内容】
【０００９】
請求項１記載の考案によれば、３６０度の正数分の１の分轄円状の単位布をベースとして、中心の回りに恰も花弁のように糸絞り装飾部が点在状態に表出する装飾効果に優れる斬新なパッチワーク装飾品を実現し提供することができる。
【手続補正２】
【補正対象書類名】明細書
【補正対象項目名】００１０
【補正方法】変更
【補正の内容】
【００１０】
請求項２記載の考案によれば、１／４円状又は１／６円状の単位布をベースとし、中心の回りに恰も花弁のように４個又は６個のビーズ付きの糸絞り装飾部が点在状態に表出する装飾効果に優れたパッチワーク装飾品を実現し提供することができる。
【手続補正３】
【補正対象書類名】明細書
【補正対象項目名】００１１
【補正方法】変更
【補正の内容】
【００１１】
請求項３記載の考案によれば、１／４円状又は１／６円状の単位布をベースとし、中心の回りに恰も花弁のように４個又は６個のビーズ付きの糸絞り装飾部が点在状態に表出し、中心の部分に装飾釦が存在する装飾効果に優れたパッチワーク装飾品を実現し提供することができる。
【手続補正４】
【補正対象書類名】明細書
【補正対象項目名】００１２
【補正方法】変更
【補正の内容】
【００１２】
請求項４記載の考案によれば、３６０度の正数分の１の分轄円状の単位布をベースとして、型紙を使用せずに何人でも簡略容易に作製するが可能であり、請求項１記載の考案と同様、装飾効果に優れたパッチワーク装飾品を実現し提供することができる。
【手続補正５】
【補正対象書類名】明細書
【補正対象項目名】００１３
【補正方法】変更
【補正の内容】
【００１３】
請求項５記載の考案によれば、型紙を使用せずに何人でも簡略容易に作製するが可能であり、請求項２記載の考案と同様、ビーズ付きで装飾効果に優れたパッチワーク装飾品を実現し提供することができる。
【手続補正６】
【補正対象書類名】明細書
【補正対象項目名】００１４
【補正方法】変更
【補正の内容】
【００１４】
請求項６記載の考案によれば、型紙を使用せずに何人でも簡略容易に作製するが可能であり、請求項３記載の考案と同様、ビーズ及び装飾釦付きで装飾効果に優れたパッチワーク装飾品を実現し提供することができる。
【手続補正７】
【補正対象書類名】実用新案登録請求の範囲
【補正対象項目名】全文
【補正方法】変更
【補正の内容】
【実用新案登録請求の範囲】
【請求項１】
突出端が３６０度の正数分の１の角度で交わる両辺部を備える連結片と、
この連結片の基部側と一体に連なるとともに、前記連結片に対して折り返し重合した略半円状の外周輪郭部を突出端側に向け、外端縁が直線状に形成され、中央部に糸絞り装飾部を表出させた折り返し片と、
を具備する正数分割円状の単位布をベースに作製した単位ピースを複数個縫製連結したパッチワーク装飾品であって、
前記各単位ピースの各突出端を中心として隣り合う辺部同士を縫合し中心の回りに糸絞り装飾部を表出させたこと、
を特徴とするパッチワーク装飾品。
【請求項２】
突出端が直角に交わる両辺部を備える連結片と、
この連結片の基部側と一体に連なるとともに、前記連結片に対して折り返し重合した略半円状の外周輪郭部を突出端側に向け、外端縁が直線状に形成され、中央部に糸絞り装飾部を表出させた折り返し片と、
を具備する１／４円状又は１／６円状の単位布をベースに作製した単位ピースを４個又は６個縫製連結したパッチワーク装飾品であって、
前記４個又は６個の各単位ピースの各突出端を中心として隣り合う辺部同士を縫合し中心に４個又は６個のビーズ付きの糸絞り装飾部を表出させ、外周輪郭を四辺形状又は菱形形状に形成したこと、
を特徴とするパッチワーク装飾品。
【請求項３】
突出端が直角に交わる両辺部を備える連結片と、
この連結片の基部側と一体に連なるとともに、前記連結片に対して折り返し重合した略半円状の外周輪郭部を突出端側に向け、外端縁が直線状に形成され、中央部に糸絞り装飾部を表出させた折り返し片と、
を具備する１／４円状又は１／６円状の単位布をベースに作製した単位ピースを４個又は６個縫製連結したパッチワーク装飾品であって、
前記４個又は６個の各単位ピースの各突出端を中心として隣り合う辺部同士を縫合し中心に４個又は６個のビーズ付きの糸絞り装飾部を表出させ、外周輪郭を四辺形状又は菱形形状に形成し、前記中心の部分に装飾釦を付加したこと、
を特徴とするパッチワーク装飾品。
【請求項４】
突出端が３６０度の正数分の１の角度に交わる両辺部を備える正数分割円状の単位布の前記両辺部に縫い代を設け、前記縫い代を設けた各単位布の円弧部を折り曲げぐし縫いして絞り込み、絞り込だ単位布の両隅部を寄せ集めて縫製することで、両辺部側の連結片と、この連結片の基部側と一体に連なり円弧状の外周輪郭部を有し、その内方に糸絞り装飾部を有する折り返し片とからなる単位ピースを得る工程と、
前記単位ピースにおける連結片を構成する両辺部の各突出端を中心として各単位ピースの隣り合う辺部同士を縫合して各単位ピースの集合体とし、この集合体の各単位ピースの前記各糸絞り装飾部側を裏側として各折り返し片を各連結片に対して折り返し重合し、中心に複数の糸絞り装飾部を表出させる工程とにより、
得られることを特徴とするパッチワーク装飾品。
【請求項５】
突出端が直角に交わる両辺部を備える１／４円状又は１／６円状の単位布の前記両辺部に縫い代を設け、前記縫い代を設けた１／４円状又は１／６円状の単位布の円弧部を折り曲げぐし縫いして絞り込み、絞り込だ単位布の両隅部を寄せ集めて縫製することで、両辺部側の連結片と、この連結片の基部側と一体に連なり円弧状の外周輪郭部を有し、その内方に糸絞り装飾部を有する折り返し片とからなる単位ピースを得る工程と、
前記単位ピースにおける連結片を構成する両辺部の各突出端を中心として４個又は６個の単位ピースの隣り合う辺部同士を縫合して４個又は６個の単位ピースの集合体とし、各単位ピースの前記各糸絞り装飾部側を裏側として各折り返し片を各連結片に対して折り返し重合し、中心に４個又は６個の糸絞り装飾部を表出させる工程とにより、
得られることを特徴とするパッチワーク装飾品。
【請求項６】
突出端が直角に交わる両辺部を備える１／４円状又は１／６円状の単位布の前記両辺部に縫い代を設け、前記縫い代を設けた１／４円状又は１／６円状の単位布の円弧部を折り曲げぐし縫いして絞り込み、絞り込だ単位布の両隅部を寄せ集めて縫製することで、両辺部側の連結片と、この連結片の基部側と一体に連なり円弧状の外周輪郭部を有し、その内方に糸絞り装飾部を有する折り返し片とからなる単位ピースを得る工程と、
前記単位ピースにおける連結片を構成する両辺部の各突出端を中心として４個又は６個の単位ピースの隣り合う辺部同士を縫合して４個又は６個の単位ピースの集合体とし、各糸絞り装飾部の中心部に各々ビーズを付加し、各単位ピースの前記各糸絞り装飾部側を裏側として各折り返し片を各連結片に対して折り返し重合し、中心に４個又は６個のビーズ付きの糸絞り装飾部を表出させる工程とにより、
得られることを特徴とするパッチワーク装飾品。
【請求項７】
突出端が直角に交わる両辺部を備える１／４円状又は１／６円状の単位布の前記両辺部に縫い代を設け、前記縫い代を設けた１／４円状又は１／６円状の単位布の円弧部を折り曲げぐし縫いして絞り込み、絞り込だ単位布の両隅部を寄せ集めて縫製することで、両辺部側の連結片と、この連結片の基部側と一体に連なり円弧状の外周輪郭部を有し、その内方に糸絞り装飾部を有する折り返し片とからなる単位ピースを得る工程と、
前記単位ピースにおける連結片を構成する両辺部の各突出端を中心として４個又は６個の単位ピースの隣り合う辺部同士を縫合して４個又は６個の単位ピースの集合体とし、各糸絞り装飾部の中心部に各々ビーズを、集合体の中心の部分に装飾釦を付加し、各単位ピースの前記各糸絞り装飾部側を裏側として各折り返し片を各連結片に対して折り返し重合し、装飾釦を具備する中心に４個又は６個のビーズ付きの糸絞り装飾部を表出させる工程とにより、
得られることを特徴とするパッチワーク装飾品。